(57)【要約】【課題】撮影によって得られた画像データの秘匿性を確保しつつ容易に撮影画像を確認する。【解決手段】撮影によって得られた撮影画像の画像データを暗号化鍵４２Ａで暗号化し、外部装置１６へ出力する。また、撮影画像の画像データを圧縮処理や間引きなどによって画像データの少なくとも一部を含む縮小画像データを生成し、ＲＡＭ４０に格納する。ＲＡＭ４０に格納した縮小画像データによる縮小画像（サムネイル画像）をＬＣＤ２６に表示することができる。従って、デジタルカメラ１０により、画像データの秘匿性を確保しつつ、撮影画像を確認することができる。【選択図】　図２
2004120301.tif 000002
【特許請求の範囲】
【請求項１】
撮影により得られた撮影画像の画像データを、画像データを暗号化するために予め記憶された暗号化鍵を用いて暗号化データに変換する暗号化手段と、
前記画像データから該画像データの少なくとも一部を含む縮小画像データを生成する縮小画像生成手段と、
前記縮小画像データを記憶する縮小画像記憶手段と、
前記暗号化データを外部へ出力する暗号化データ出力手段と、
前記縮小画像データを表示する表示手段と、
を備えたことを特徴とする撮像装置。
【請求項２】
前記暗号化データ出力手段から暗号化データが出力された場合、出力された暗号化データに対応する縮小画像データを縮小画像記憶手段から消去する消去手段を有する請求項１に記載の撮像装置。
【発明の詳細な説明】
【０００１】
【発明の属する技術分野】
本発明は、撮像装置に係り、特にデジタルカメラ等の撮像装置に関する。
【０００２】
【従来の技術】
従来、撮像装置、特にデジタルカメラでは、撮影によって得られた撮影画像の画像データを記録媒体に記録することが行われている。このデジタルカメラには、記録された画像データをＬＣＤ（液晶表示装置）に表示し、使用者が確認の後削除したり、ＵＳＢ端子等の接続インターフェースを介して接続されたパーソナルコンピュータ（ＰＣ）等の外部装置上で再生表示や編集したりすることができるものもある。
【０００３】
このようなデジタルカメラにおいて、撮影された画像データの秘匿性の確保や画像データの盗用の回避等の要求があった。この、秘匿性の向上をするために、公開鍵暗号により画像データを暗号化して記録媒体へ記録する技術が提案されている（例えば、特許文献１参照）。この技術によれば、撮影された画像データの秘匿性を確保することができる。
【０００４】
【特許文献１】
特開平１１−２２０６８６号公報　（第３−５頁、第１図）
【０００５】
【発明が解決しようとする課題】
しかしながら、上記従来技術では、使用者が画像データをＬＣＤに表示して確認したい場合や任意の画像データを削除したい場合、当該画像データが暗号化されているので、復号化のための秘密鍵を所持しない限り画像データの確認や削除を行うことができず、デジタルカメラを簡便に操作することができなかった。
【０００６】
本発明は上記問題点を解決するためになされたもので、撮影によって得られた画像データの秘匿性を確保し、且つ簡便に操作できる撮像装置を提供することを目的とする。
【０００７】
【課題を解決するための手段】
上記目的を達成するために本発明は、撮影により得られた撮影画像の画像データを、画像データを暗号化するために予め記憶された暗号化鍵を用いて暗号化データに変換する暗号化手段と、前記画像データから該画像データの少なくとも一部を含む縮小画像データを生成する縮小画像生成手段と、前記縮小画像データを記憶する縮小画像記憶手段と、前記暗号化データを外部へ出力する暗号化データ出力手段と、前記縮小画像データを表示する表示手段と、を備えることを特徴としている。
【０００８】
本発明の撮像装置は、暗号化手段を備えており、撮影によって得られた撮影画像の画像データが暗号化されて暗号化データに変換される。画像データを暗号化するためには、予め記憶された暗号化鍵が用いられる。縮小画像生成手段では、撮影画像の画像データから縮小画像データが生成される。縮小画像データは、画像データの少なくとも一部を含むように縮小されたものであり、圧縮処理や間引きなどの画像処理によってデータが生成される。縮小画像データは、縮小画像記憶手段に記憶される。この縮小画像データは表示手段に表示される。暗号化データ出力手段は、暗号化データを撮像装置の外部へ出力する。
【０００９】
従って、撮影によって得られた画像データが暗号化されて出力されることで、画像データの秘匿性を確保することができるとともに、縮小画像を表示手段に表示できるので、撮像装置を簡便に操作することができる。
【００１０】
なお、縮小画像データは、縮小画像記憶手段に保持される。しかし、縮小画像データは、縮小画像データに対応する暗号化データが出力されて撮像装置内に存在しなくなると、保持される必要が無い。そこで、本発明の撮像装置が、前記暗号化データ出力手段から暗号化データが出力された場合、出力された暗号化データに対応する縮小画像データを縮小画像記憶手段から消去する消去手段を有するようにすれば、縮小画像記憶手段の記憶容量を確保することができる。
【００１１】
【発明の実施の形態】
本発明の撮像装置に係るデジタルカメラの一の実施の形態を図面に基づき説明する。
【００１２】
図１には、本実施の形態に係るデジタルカメラ１０の外観を背面側から見た斜視図を示した。
【００１３】
デジタルカメラ１０の筐体１２の正面には、被写体像を結像させるためのレンズ１４が設けられている。なお、デジタルカメラ１０には、音声情報を取り込むためのマイク（図示省略）を設けることができる。
【００１４】
筐体１２の側面には、外部メモリ１６Ａを装着可能なカードスロット１８が設けられている。外部メモリ１６Ａには、撮影画像の画像データを暗号化鍵によって暗号化した暗号化データを記憶することができる（詳細は後述）。また、この側面には、ＵＳＢ端子等の外部通信用ポート２０が設けられている。外部通信用ポート２０は、暗号化データの記憶や各種編集等を行うための外部処理装置（図２参照、図１省略）１６Ｂと接続するためのケーブル（図示省略）の一端を装着するためのものである。
【００１５】
筐体１２の上面には、撮影を指示する際に使用者によって押圧操作されるレリーズスイッチ２２が設けられている。また、筐体１２の背面には、ＬＣＤ２６（液晶表示装置）が設けられている。このＬＣＤ２６には、サムネイル画像、すなわち撮影によって得られた撮影画像の画像データを縮小画像生成処理によって画像データの少なくとも一部を含むように縮小した縮小画像データによる縮小画像（詳細は後述）や、各種メニュー、画像処理に関するパラメータ等のデータを表示することができる。また、ＬＣＤ２６の近傍には、スイッチ３４が設けられている。本実施の形態では、スイッチ３４として、レリーズスイッチ２２、電源スイッチ２４、メニューボタン２８、上下左右キー３０、実行ボタン３１、及び取消ボタン３２を含んだ構成を採用している。電源スイッチ２４は、使用者がデジタルカメラ１０の各部への電源電力の供給／供給停止の切り換えを行うときに操作するためのものである。メニューボタン２８は、使用者がＬＣＤ２６へ各種メニュー項目を表示するときに操作するためのものである。上下左右キー３０は、使用者がＬＣＤ２６に表示された各種メニューから任意のメニュー項目を選択する際に操作するためのものである。実行ボタン３１は、使用者が各項目の実行開始を指示するときに操作するためのものである。取消しボタン３２は、使用者が選択した項目の取消指示をする際に操作するためのものである。
【００１６】
図２には、本実施の形態に係るデジタルカメラ１０の主要構成をブロック図として示した。デジタルカメラ１０は、ＣＣＤ（Ｃｈａｒｇｅ　Ｃｏｕｐｌｅｄ　Ｄｅｖｉｃｅ）３６を有している。このＣＣＤ３６は、レンズ１２により得られる被写体からの反射光を撮影画像を示すアナログ画像データ（以下、画像データという）に変換して出力するためのものである。また、デジタルカメラ１０は、ＣＰＵ（中央処理装置）４８、ＲＯＭ（Ｒｅａｄ　Ｏｎｌｙ　Ｍｅｍｏｒｙ）３８、及びＲＡＭ（Ｒａｎｄｏｍ　Ａｃｃｅｓｓ　Ｍｅｍｏｒｙ）４０からなるマイクロコンピュータを含んで構成される。これらのデバイスは、データやコマンドの授受が可能なようにバス４６で接続されている。また、デジタルカメラ１０には、ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）４２が設けられている。このＥＥＰＲＯＭ４２には、バス４６が接続されている。
【００１７】
上記ＲＯＭ３８は、各種プログラムや所定データ等を記憶するためのものである。ＲＯＭ３８は、暗号化プログラム、縮小画像生成プログラム、及びメイン制御プログラム等の各種プログラムを格納する。暗号化プログラムは、主として画像データを暗号化するためのプログラムである。この暗号化プログラムの一例としては、ＲＳＡやＤＥＳ（Ｄａｔａ　Ｅｎｃｒｙｐｔｉｏｎ　Ｓｔａｎｄａｒｄ）等のプログラムがある。縮小画像生成プログラムは、画像データの少なくとも一部を含む縮小画像データを生成するためのプログラムであって、圧縮処理や間引き等の画像処理によって縮小画像データを生成する。メイン制御プログラムは、各種デバイスを制御するためのプログラムである。ＲＡＭ４０は、主として各種プログラムによって生成される情報を記憶するためのものであり、その中に縮小画像データを記憶する。ＥＥＰＲＯＭ４２は、各種パラメータ等の情報を記憶するためのものであり、その中に暗号化鍵４２Ａを予め記憶する。暗号化鍵４２Ａは、画像データを暗号化する暗号化処理に使用される。
【００１８】
また、バス４６には、Ｉ／Ｏポート５２と、タイマ５０と、ＬＣＤ１６と、が接続されている。このＩ／Ｏポート５２には、上記各種スイッチから構成されるスイッチ３４が接続されている。タイマ５０は、時刻や日付情報等を読み取るためのものである。
【００１９】
また、バス４６には、外部メモリインターフェース（以下、外部Ｉ／Ｆとい
う）４４が接続されている。外部Ｉ／Ｆ４４は、暗号化データを外部装置１６へ出力するためのものである。外部Ｉ／Ｆ４４は、外部メモリＩ／Ｆ４４Ａと、外部装置Ｉ／Ｆ４４Ｂとから構成されている。また、本実施の形態では、外部装置１６としては、外部メモリ１６Ａと外部処理装置１６Ｂとが機能している。外部メモリ１６Ａは、カードスロット１８に装着されることによって外部メモリＩ／Ｆ４４Ａに接続可能である。外部メモリ１６Ａの一例としては、ＩＣカードなどのメモリ媒体がある。外部処理装置１６Ｂは、ケーブル（図示無し）、外部通信用ポートを介して外部装置Ｉ／Ｆ４４Ｂに接続可能である。外部処理装置１６Ｂの一例には、ＰＣや画像処理装置がある。
【００２０】
次に、上記実施の形態に係るデジタルカメラ１０の作用を説明する。
【００２１】
図３には、ＣＰＵ４８で実行される処理ルーチンを示した。電源スイッチ２４によりデジタルカメラ１０に電源が投入されるとステップ１００に進み、ステップ１００では、撮像指示がなされたか否かを判断する。この撮像指示がなされたか否かの判断は、レリーズスイッチ２２による信号受信によって押圧操作されたか否かを判断することによって可能である。
【００２２】
ステップ１００で肯定されると、ステップ１０２へ進み、撮影処理が実行される。この撮影処理は、被写体を撮影するときにおけるＣＣＤ３６からの図示を省略した焦点調整、ズーム、レンズ等による画角調整、そして露光調整などのデジタルカメラ１０の図示しない各種駆動部を駆動して、撮影画像を得るものである。この撮影処理が終了すると、ステップ１０４において、撮影画像の画像データを取得して、ステップ１０６へ進む。
【００２３】
次のステップ１０６では、画像データを暗号化する暗号化処理が実行される。暗号化処理は、ＥＥＰＲＯＭ４２に予め保存されている暗号化鍵４２Ａを読み取るとともにＲＯＭ３８に格納されている暗号化プログラムを読み取り、読み取った暗号化プログラムに従って、画像データを暗号化鍵４２Ａによって暗号化データに変換する処理である。
【００２４】
次のステップ１０８では、撮影画像の画像データを縮小画像データに縮小する縮小画像生成処理が実行される。この縮小画像生成処理は、ＲＯＭ３８に格納されている縮小画像生成プログラムを読み取り、読み取った縮小画像生成プログラムに従って、画像データについて圧縮処理や間引きなどによって画像データの少なくとも一部を含む縮小画像データを生成する処理である。
【００２５】
上記ステップ１０６で得られた暗号化データは、次のステップ１１０において外部メモリ１６Ａに記憶される。暗号化データを記憶するときには、暗号化データは外部メモリＩ／Ｆ４４Ａによって外部メモリ１６Ａへ出力される。これによって、暗号化データは外部メモリ１６Ａに記憶される。また、ステップ１０８で得られた縮小画像データは、ステップ１１２においてＲＡＭ４０に格納される。縮小画像データの格納が終了すると、本ルーチンを終了する。
【００２６】
一方、上記ステップ１００で否定され、撮像指示がなされなかった場合は、ステップ１１４へ進み、撮影画像の再生指示がなされたか否かを判断する。この再生指示とは、撮影画像に対応する縮小画像データをＬＣＤ２６へ表示するための指示である。この判断は、スイッチ４４の押圧指示を判別することで可能である。
【００２７】
例えば、ＬＣＤ２６に画像再生項目を含むメニューを表示し、表示された各種メニュー項目の中から画像再生項目が使用者による上下左右キー３０の操作で選択された後に、実行ボタン３１が押圧操作されたときに再生指示信号を出力するようにする。この再生指示信号が出力されたか否かを判断することによって、再生指示がなされたか否かを判断することが可能である。この場合、指示選択のための各種メニュー項目は、使用者がメニューボタン２８を押圧操作したときに、ＬＣＤ２６上に表示するようにすればよい。
【００２８】
ステップ１１４で肯定されると、ステップ１１６へ進み、再生処理が実行される。再生処理は、ＲＡＭ４０に記憶されている縮小画像データをＬＣＤ２６へ表示する処理である。
【００２９】
上記ステップ１１４で否定され、撮影画像の再生指示がなされなかった場合は、ステップ１１８へ進み、撮影画像の削除指示がなされたか否かを判断する。この削除指示とは、デジタルカメラ１０内に保存された画像データを削除する指示である。この判断は、スイッチ４４の押圧指示を判別することで可能である。
【００３０】
例えば、ＬＣＤ２６に画像削除項目を含むメニューを表示し、表示された各種メニュー項目の中から画像削除項目が使用者による上下左右キー３０の操作で選択された後に、実行ボタン３１が押圧操作されたときに削除指示信号を出力するようにする。この削除指示信号が出力されたか否かを判断することによって、削除指示がなされたか否かの判断が可能である。この場合、指示選択のための各種メニュー項目は、ステップ１１４で示した一例と同様に、使用者がメニューボタン２８を押圧操作したときに、ＬＣＤ２６上に表示するようにすればよい。
【００３１】
また、削除する画像データは、使用者による上下左右キー３０の操作で削除を希望する画像データを選択させてもよく、全てを自動的に選択させてもよい。この選択された画像を表す画像選択信号を出力するようにすれば、任意の画像データを削除指示できる。すなわち、この画像選択信号とともに上記削除指示信号が出力されれば、該当するこ画像データを削除できる。
【００３２】
ステップ１１８で肯定されると、ステップ１２０へ進み、削除処理が実行される。削除処理は、削除指示がなされた撮影画像の画像データに対応する縮小画像データをＲＡＭ４０から削除するとともに、削除指示がなされた撮影画像の画像データに対応する暗号化データを外部メモリ１６Ａから削除する処理である。
【００３３】
上記ステップ１１８で否定され、撮影画像の削除指示がなされなかった場合は、ステップ１２２へ進み、外部メモリ１６Ａがカードスロット１８から取り外されたか否かを判断する。この外部メモリ１６Ａの取り外しがなされたか否かの判断は、例えば、外部メモリ１６Ａがカードスロット１８から取り外されたときに取り外し信号を出力するようにすればよい。この外部メモリ１６Ａの取り外しがなされたか否かの判断は、取り外し信号が出力されたか否かを判断することによって、可能である。
【００３４】
外部メモリ１６Ａが取り外されると、ステップ１２２で肯定され、ステップ１２４へ進み、削除処理が実行される。デジタルカメラ１０から撮影画像の暗号化データが分離されているため、縮小画像を保持する必要性は低い。そこで、削除処理では、ＲＡＭ４０に記憶されている縮小画像データを削除する。すなわち削除する縮小画像データは、上記ステップ１２２でカードスロット１８から取り外された外部メモリ１６Ａに格納されていた暗号化データに対応するものである。
【００３５】
上記ステップ１２２で否定され、外部メモリが取り外されなかった場合は、ステップ１２６へ進み、撮影画像の伝送指示がなされたか否かを判断する。この伝送指示は、撮影画像に対応する暗号化データを外部処理装置１６Ｂへ伝送するための指示である。この伝送指示がなされたか否かの判断は、スイッチ４４の押圧指示を判別することで可能である。例えば、上記と同様にＬＣＤ２６に表示された各種メニュー項目の中から画像伝送項目が選択された後に、実行ボタン３１が押圧操作されたときに出力される伝送指示信号を用いればよい。この伝送指示信号が出力されたか否かを判断することによって、伝送指示がなされたか否かを判断することが可能である。
【００３６】
上記ステップ１２６で肯定されると、ステップ１２８へ進み、外部メモリ１６Ａに格納されている暗号データを読み取り、ステップ１３０に進む。次のステップ１３０では、暗号化データを伝送する伝送処理が実行される。伝送処理は、暗号化データを外部装置Ｉ／Ｆ４４Ｂによって外部処理装置１６Ｂへ伝送する処理である。これによって、暗号化データは外部処理装置１６Ｂに伝送される。
【００３７】
ステップ１３０による暗号化データの伝送が終了すると、ステップ１３２に進み、削除処理が実行される。ステップ１３２の削除処理は、上記ステップ１２０またはステップ１２４の処理と同様で、少なくともＲＡＭ４０に記憶されている縮小画像データを削除する処理である。この削除する縮小画像データは、上記ステップ１３０で外部処理装置１６Ｂへ伝送した暗号化データに対応するものである。この暗号化データをさらに削除してもよい。
【００３８】
上記ステップ１２６で否定され、画像伝送指示がなされなかった場合は、ステップ１３４へ進み、その他の処理が実行される。その他の処理は、デジタルカメラ１０に装備された他の処理を実行するものであり、例えば、縮小画像の色補正処理などの処理がある。
【００３９】
以上説明したように、本実施の形態では、撮影によって得られた撮影画像の画像データが暗号化鍵４２Ａで暗号化されて外部メモリ１６Ａや外部処理装置１６Ｂへ出力されるので、画像データの秘匿性を確保することができる。
【００４０】
また、ＲＡＭ４０に格納した縮小画像データをＬＣＤ２６に表示できるので、使用者がデジタルカメラ１０を簡便に操作することができる。
【００４１】
更に、暗号化データが外部装置１６へ出力されると、出力された暗号化データに対応する縮小画像データがＲＡＭ４０から削除されるので、ＲＡＭ４０の記憶容量を確保することができる。
【００４２】
なお、上記ステップ１０６の処理が本発明の撮像装置の暗号化手段の機能に相当し、ステップ１０８の処理が縮小画像生成手段の機能に相当し、ステップ１１２の処理が縮小画像記憶手段の機能に相当し、ステップ１１０及びステップ１３０の処理が暗号化データ出力手段の機能に相当し、ステップ１１６が表示手段の機能に相当し、ステップ１２４及びステップ１３２の処理が消去手段の機能に相当する。
【００４３】
また、本発明は、上記の実施の形態に限られるものではない。例えば、暗号化鍵４２Ａとして、共通鍵でもよく、公開鍵及び秘密鍵を用いてもよい。公開鍵及び秘密鍵を用いる場合には、少なくとも暗号化した画像データを復号化しようとする装置側の公開鍵をＥＥＰＲＯＭ４２へ一つ以上予め記憶するとともに、デジタルカメラ１０自身の秘密鍵を予めＥＥＰＲＯＭ４２へ保存し、この秘密鍵によって画像データの暗号化を行うようにしてもよい。
【００４４】
また、暗号化に使用する暗号化鍵４２Ａは、予めＥＥＰＲＯＭ４２に格納されているとしたが、タイマ５０の時刻情報等を基に暗号化鍵４２Ａをデジタルカメラ１０内で自動生成するようにしてもよい。
【００４５】
更に、本実施の形態では、画像データの処理について説明したが、マイク（図示無し）から取り込まれた音声データや、動画データの処理でもよい。
【００４６】
【発明の効果】
以上説明したように、本発明の撮像装置によれば、撮影画像の画像データを暗号化して出力するので、画像データの秘匿性を確保することができ、縮小画像を表示手段に表示することができるので、簡便に操作することができる撮像装置を提供することができる、という効果が得られる。
【図面の簡単な説明】
【図１】本発明の実施の形態に係るデジタルカメラの外観を背面側から見た斜視図である。
【図２】本実施の形態に係るデジタルカメラの主要構成を示すブロック図である。
【図３】本発明の実施の形態に係るデジタルカメラにおける処理の流れを示すフローチャートである。
【符号の説明】
１０　デジタルカメラ（撮像装置）
２６　ＬＣＤ（表示手段）
４０　ＲＡＭ（縮小画像記憶手段）
４２Ａ　暗号化鍵
４４　外部Ｉ／Ｆ（暗号化データ出力手段）
４４Ａ　外部メモリＩ／Ｆ（暗号化データ出力手段）
４４Ｂ　外部装置Ｉ／Ｆ（暗号化データ出力手段）
【図１】
2004120301.tif 000003
【図２】
2004120301.tif 000004
【図３】
2004120301.tif 000005